(57)【要約】【課題】簡易な構成で傘ひいては人の存在を瞬時に認識でき、あわせて耐久性のある傘を提供すること。【解決手段】反射テープ８は、各親骨５１と傘布６との間に位置し、かつ各親骨５１に沿うようにして傘布６に帯状に設けられている。また、反射テープ８は、傘布６を挟んで親骨５１と反対側において親骨５１に沿うようにして傘布６に帯状に設けられている。すなわち、反射テープ８は、傘布６の外側および内側の両側において中心から各露先７に向かうように放射状に設けられている。これにより、遠方からでも傘１をさしている事を瞬時に認識できる。また、仮に親骨５１と対向する傘布６の部分がこすれたとしても、反射テープ８によりその部分が補強され、さらに、傘布６が親骨５１によりこすれるのを防ぐこともでき、傘１の耐久性を向上できる。【選択図】図３
2007151656.tif 000002
【特許請求の範囲】
【請求項１】
軸、軸に取り付けられた傘骨、傘骨に取り付けられた傘布、傘骨に取り付けられた露先および軸先端に取り付けられた石突を備える傘であって、
前記軸、傘骨、傘布、露先および石突のうち少なくとも一つに反射材が設けられており、当該反射材は、光を反射するとともに、設けられている部位を補強する補強材としても機能するものであることを特徴とする傘。
【請求項２】
軸、軸に取り付けられた傘骨および傘骨に取り付けられた傘布を備える傘であって、
前記傘骨に沿った前記傘布の部分であって前記傘布を挟んで前記傘骨と反対側に帯状の反射材が設けられており、当該反射材は、光を反射するとともに前記傘布を補強する補強材としても機能することを特徴とする傘。
【請求項３】
軸、軸に取り付けられた傘骨および傘骨に取り付けられた傘布を備える傘であって、
前記傘骨に沿った前記傘布の部分であって前記傘骨と前記傘布との間に位置するように帯状の反射材が設けられており、当該反射材は、光を反射するとともに前記傘布を補強する補強材としても機能することを特徴とする請求項２に記載の傘。
【請求項４】
前記反射材は、布状の耐水性材料で形成される反射テープであることを特徴とする請求項１〜３のいずれか一つに記載の傘。
【請求項５】
前記反射テープは、静止摩擦係数が０．５以下であることを特徴とする請求項４に記載の傘。
【発明の詳細な説明】
【技術分野】
【０００１】
本発明は、傘に関し、特に反射材を備える傘に関する。
【背景技術】
【０００２】
夜間の道路においては、照明が暗かったり照明が無かったりする場合には、自動車の運転手が歩行者を認識しにくくなり交通事故の危険性が高まる。特に、雨が降っていて歩行者が傘をさしている場合には、一層歩行者を認識しにくく交通事故の危険性がより高まってしまう。
【０００３】
そのため、反射材を備えた傘が提案されている。このように反射材を備えた傘であれば、反射材が自動車から発せられる光を反射するため、自動車の運転手が傘をさした歩行者を認識しやすく、交通事故の危険性を軽減することが可能となる（たとえば、特許文献１参照）。
【特許文献１】特開２００４−１１３５９４号公報
【発明の開示】
【発明が解決しようとする課題】
【０００４】
しかしながら、従来の技術では以下の問題点があった。
すなわち、特許文献１に記載の傘を含めて従来の傘は、傘に部分的に反射材を設けていて光を反射する部分が少ないため、自動車の運転手が瞬時に傘、すなわち、人がいることを認識できないことがあるといった問題点があった。また、その一方で、瞬時に認識できるようにするため傘に全面的に反射材を設けるのは現実的ではない。
【０００５】
また、傘は夜間において認識しにくいという問題点に加えて、耐久性が低いといった問題点もある。たとえば、傘の構成上、傘骨と傘布は接触しており、傘布は傘骨によりこすれて破損しやすい。
【０００６】
本発明は上記に鑑みてなされたものであって、簡易な構成で傘ひいては人の存在を瞬時に認識でき、あわせて耐久性のある傘を提供することを目的とする。
【課題を解決するための手段】
【０００７】
上記の目的を達成するために、請求項１に記載の傘は、軸、軸に取り付けられた傘骨、傘骨に取り付けられた傘布、傘骨に取り付けられた露先および軸先端に取り付けられた石突を備える傘であって、前記軸、傘骨、傘布、露先および石突のうち少なくとも一つに反射材が設けられており、当該反射材は、光を反射するとともに、設けられている部位を補強する補強材としても機能するものであることを特徴とする。
【０００８】
すなわち、請求項１にかかる発明は、反射材により夜間等における傘の存在を認識できるとともに傘の各部位を補強してその耐久性を向上できる。よって、簡易な構成で傘ひいては人の存在を認識でき、あわせて耐久性を向上できる。
【０００９】
また、請求項２に記載の傘は、軸、軸に取り付けられた傘骨および傘骨に取り付けられた傘布を備える傘であって、前記傘骨に沿った前記傘布の部分であって前記傘布を挟んで前記傘骨と反対側に帯状の反射材が設けられており、当該反射材は、光を反射するとともに前記傘布を補強する補強材としても機能することを特徴とする。
【００１０】
すなわち、請求項２にかかる発明は、反射材が帯状であるので、傘をさした際には後方から見た場合に反射材が放射状に拡がって見える。よって、遠方からでも傘をさしていることを瞬時に認識できる。
また、傘骨と接触する傘布の部分がこすれたとしても反射材によりその部分が補強されるので、傘全体としての耐久性を向上できる。
【００１１】
また、請求項３に記載の傘は、請求項２に記載の傘において、軸、軸に取り付けられた傘骨および傘骨に取り付けられた傘布を備える傘であって、前記傘骨に沿った前記傘布の部分であって前記傘骨と前記傘布との間に位置するように帯状の反射材が設けられており、当該反射材は、光を反射するとともに前記傘布を補強する補強材としても機能することを特徴とする。
【００１２】
すなわち、請求項３にかかる発明は、反射材が帯状であるので、傘をさした際には前方から見た場合に反射材が放射状に拡がって見える。よって、遠方からでも傘をさしている事を瞬時に認識できる。ゆえに、傘ひいては人の存在を瞬時に認識できる。
【００１３】
また、傘骨と傘布との間に反射材を位置させるので、傘布が傘骨によりこすれるのを防ぐことができ、傘布の耐久性を向上できる。
【００１４】
また、請求項４に記載の傘は、請求項１〜３のいずれか一つに記載の傘において、前記反射材は、布状の耐水性材料で形成される反射テープであることを特徴とする。
【００１５】
すなわち、請求項４にかかる発明は、簡易な構成で傘ひいては人の存在を認識でき、あわせて耐久性を向上できる。
【００１６】
また、請求項５に記載の傘は、請求項４に記載の傘において、静止摩擦係数が０．５以下であることを特徴とする。
【００１７】
すなわち、請求項５にかかる発明は、反射テープの静止摩擦係数が低いので傘骨または傘布と反射テープとが滑らかに接触し、こすれが防止される結果、耐久性を向上できる。
【００１８】
なお、反射テープとしては、ポリプロピレンやポリエチレン等の合成樹脂材料で形成される布状の素材に粉末状の反射材を塗布したものを挙げることができる。
【発明の効果】
【００１９】
以上のように、本発明（請求項１）によれば、簡易な構成で傘ひいては人の存在を認識でき、あわせて耐久性を向上できる。本発明（請求項２）によれば、遠方からでも傘をさしていることを瞬時に認識できる。本発明（請求項３）によれば、遠方からでも傘をさしていることを瞬時に認識できる。本発明（請求項４）によれば、簡易な構成で傘ひいては人の存在を認識でき、あわせて耐久性を向上できる。本発明（請求項５）によれば、傘骨または傘布と反射テープとが滑らかに接触し、こすれが防止される結果、耐久性を向上できる。
【発明を実施するための最良の形態】
【００２０】
実施の形態１．
【００２１】
図１は、実施の形態１にかかる傘を示した正面図であり、図２は、図１に示した傘の平面図であり、図３は、図１に示した傘を斜め下方から見た状態を示した斜視図である。
【００２２】
傘１は、軸２と、軸２の下端に取り付けられ握柄３と、軸２の先端に取り付けられた石突４と、軸２に取り付けられた傘骨５と、傘骨５に取り付けられた傘布６と、傘骨５に取り付けられた露先７と、を備えている。
【００２３】
軸２は、金属性材料で形成される長手の略円筒形状の部材であって、傘１をさした状態において、略垂直方向に延伸するように保持される。
【００２４】
握柄３は、プラスチック材料で形成される略鍵状の部材であって、軸２の下端から下方に延伸した後、徐々に湾曲するようになっている。
【００２５】
石突４は、プラスチック材料で形成される略円柱形状であって、軸２の先端に嵌合している。
【００２６】
傘骨５は、軸２の上部に取り付けられる親骨５１と、親骨５１を支持する受骨５２と、軸２に摺動可能に設けられたろくろ５３とを備えている。
【００２７】
親骨５１は、金属性材料で形成される棒状体であって、撓むことが可能な長手の部材である。そして、親骨５１は、その一端が軸２の上部において軸２の長さ方向に沿って展開可能に取り付けられている。また、親骨５１は、軸２の周方向において約４５°間隔ごとに取り付けられ、合計８本ある。
【００２８】
受骨５２は、金属性材料で形成される長手の棒状体であって、その一端が親骨５１の中央付近において親骨５１の長さ方向に沿って回動可能に取り付けられている。また、受骨５２は、その他端がろくろ５３に回動可能に取り付けられている。受骨５２は、軸２の周方向において約４５°間隔ごとに取り付けられ、合計８本ある。
【００２９】
ろくろ５３は、略筒状の部材であって、軸２に摺動可能に取り付けられている。また、図示しないが軸２には、ろくろ５３を所定の位置で固定するためのストッパーが２つ備えられており、このストッパーによりろくろ５３は軸２の所定の２箇所で固定され得るようになっている。ろくろ５３は、傘１の開閉する際に軸２の長さ方向に沿って変位されるもので、傘１をさした状態において軸２の上部で固定され、傘１を閉じた状態において軸２の下部で固定される。
【００３０】
傘布６は、親骨５１の外側に取り付けられる布状の部材であって、ポリエステルやビニール等の生地で形成されている。傘布６は、傘１をさした状態において、平面視が略正八角形状となり全体として椀形状に湾曲する布状体であり、雨を凌ぐための屋根部分としての役割を果たすものであって、後述の反射テープ８が設けられている。また、傘布６は、傘１を閉じた状態においては、折りたたまれるようになっている。
【００３１】
露先７は、プラスチック材料で形成されるキャップ状の部材であって傘布６に一体的に取り付けられている。詳しくは、露先７は、平面視において略正八角形である傘布６の各頂点に取り付けられており、合計８個ある。そして、各露先７が親骨５１の先端に被さるように取り付けられている。傘布６は、中央は親骨５１に固定されるようにして取り付けられており、周縁部分は露先７を介して親骨５１に取り付けられている。
【００３２】
傘１を開く場合は、ろくろ５３を軸２の上方に向かって変位させて、ろくろ５３を軸２の上方で固定する。このようにすると、各受骨５２を介して各親骨５１が軸２の上方に向かって展開し、各親骨５１が軸２とほぼ直交し、かつ、先端が下方に向かって撓んだ状態で固定され、各親骨５１に取り付けられた傘布６が椀状に張られる。この状態が傘１をさした状態であり、握柄３を把持して傘１を保持することで傘布６により雨を凌ぐことができる。
【００３３】
傘１を閉じる場合は、ろくろ５３を軸２の下方に向かって変位させて、ろくろ５３を軸２の下方で固定する。このようにすると、各受骨５２を介して各親骨５１が軸２の下方に向かってすぼみ、各親骨５１が軸２とほぼ重なり、傘布６が張った状態から閉じた状態となる。そして、閉じた状態の傘布６を束ねることにより、傘１が完全に閉じた状態となる（図示せず）。
【００３４】
このようにして、傘１は使用されるが、通常の傘が夜間に使用された場合には傘を視認することが困難な場合があり交通事故の危険性が高まる。また、親骨と傘布とは、傘の開閉により幾度も接触し、親骨が曲がった場合には、傘布がその部分から破損する。特に、折りたたみ傘はヒンジ部分にその傾向がある。このような不具合を解消するため、傘１では、以下のような工夫がなされている。
【００３５】
図４は、傘１をさした状態における傘１の親骨５１を軸に沿ってながめた場合の断面図である。
【００３６】
傘１は、まず傘布６の内側の表面に反射テープ８を備えている。
【００３７】
反射テープ８は、静止摩擦係数が０．５以下の耐水性材料で形成される帯状の部材であって、詳しくは、ポリプロピレンやポリエチレン等の合成樹脂材料で形成される布状の素材に粉末状の反射材を塗布したものをテープ状に形成したものであり、光を反射するようになっている。また、その厚みは傘布６より数倍厚い。
【００３８】
反射テープ８は、各親骨５１と傘布６との間に位置し、かつ各親骨５１に沿うようにして傘布６に帯状に設けられている。すなわち、反射テープ８は、傘布６の内側の表面において中心から各露先７に向かうように放射状に設けられている。
【００３９】
また、反射テープ８は、傘布６の外側の表面にも設けられており、詳しくは、傘布６を挟んで親骨５１と反対側において親骨５１に沿うようにして傘布６に帯状に設けられており、傘布６の外側の表面において中心から各露先７に向かうように放射状に設けられている。
【００４０】
よって、親骨５１と向かい合う傘布６の部分は、反射テープ８により外側および内側の両側から押さえられている。これにより、親骨５１と傘布６とが重なり合う部分が補強され、また、親骨５１と傘布６とが直接こすれることもないため、破れやすい傘布６の寿命ひいては傘１の耐久性が向上する。
【００４１】
そして、夜間等に傘１をさした際には、自動車から発せられる光を反射テープ８が反射することにより、傘１を後方から見た場合や前方から見た場合には、放射状に拡がる光の筋が見え、傘１を瞬時に認識できることとなる。これにより、人の存在を直ちに認識できることとなる。
【００４２】
以上のように、本実施形態では、反射テープ８が帯状であるので、傘をさした際には前方から見た場合および後方からみた場合に反射テープ８が放射状に拡がって見える。よって、遠方からでも傘１をさしている事を瞬時に認識できる。
【００４３】
また、傘布６の外側に親骨５１に沿うように反射テープ８が設けられているので、仮に親骨５１と対向する傘布６の部分がこすれたとしても、反射テープ８によりその部分が補強されるので、傘１の耐久性を向上できる。
【００４４】
また、傘布６の内側に親骨５１に沿うように反射テープ８が設けられているので、傘布６が親骨５１によりこすれるのを防ぐことができ、傘布６の耐久性を向上できる。
【００４５】
また、反射テープ８の静止摩擦係数が低いので親骨５１または傘布６と反射テープ８とが滑らかに接触し、磨耗ないし破れを防止できる。
【００４６】
実施の形態２．
【００４７】
なお、傘１を以下のような構成とすることもできる。
【００４８】
図５は、実施の形態２にかかる傘１を示した平面図であり、図６は、図５に示した傘１の断面図である。なお、本実施形態において実施の形態１と同様の構成については上述と同様の参照符号を用いることにより説明を省略する。
【００４９】
本実施形態では、傘１の親骨５１を反射体９が包みこんでおり、親骨５１が外部に露出しないようになっている。
【００５０】
反射体９は、耐久性の高い材質で形成される筒状の部材であって、詳しくは、ポリプロピレンやポリエチレン等の合成樹脂材料で形成した筒状体の表面に粉末状の反射材を塗布したものであり、光を反射するようになっている。また、反射体９は、その静止摩擦係数が０．５以下となっている。そして、その内部に親骨５１を収容している。すなわち、反射体９は、軸２を中心として放射状に８方向に拡がっている。また、反射体９は、親骨５１の先端も包み込んでおり、その先端が露先としても機能している。
【００５１】
そして、放射状に拡がる反射体９の間には傘布１０が張られるようにして設けられている。すなわち、略三角形状の傘布１０が反射体９から反射体９にかけて設けられ、合計８枚の傘布１０が反射体９の間に設けられることで、全体として略八角形状となっている。
【００５２】
このような構成とすると、実施の形態１と同様に、夜間等に傘１をさした際には、自動車から発せられる光を反射体９が反射することにより、傘１を後方から見た場合や前方から見た場合には放射状に拡がる光の筋が見えるため、遠方からでも傘１をさしている事を瞬時に認識できる。
【００５３】
また、親骨５１が耐久性の高い反射体９により覆われ、傘布１０はその反射体９に取り付けられるため、傘布１０が親骨５１によりこすれるという事がなく、傘１の耐久性を向上できる。
【００５４】
また、反射体９の静止摩擦係数が低いので、反射体９と親骨５１と滑らかに接触し、磨耗ないし破れを防止できる。
【００５５】
なお、反射体９は、２枚の反射テープにより親骨５１を挟むものであってもよい。
【００５６】
この発明は、以上説明した実施形態に限定されるものではなく、請求項に記載の範囲内において種々の変更が可能である。
【００５７】
たとえば、上記実施形態においては、反射材が傘布の部分に取り付けられるとして説明したが、反射材は傘１の他の部分に取り付けられ、光を反射するとともに取り付けられた部位を補強するものであってもよい。
【００５８】
具体的には、軸２、石突４、親骨５１、受骨５２、ろくろ５３および露先７のうち少なくとも一つに反射材が設けられていて、この反射材により設けられた部分が補強されるものであってもよい。このようにすれば、傘１の存在を認識でき、あわせて各部分の耐久性を向上できる。
【００５９】
また、親骨５１の外表面に反射材の塗料を塗布することにより、瞬時に認識できるものであってもよい。
【産業上の利用可能性】
【００６０】
本発明は子供用の傘としても利用でき、その際には、子供の交通事故を防止することができる。
【図面の簡単な説明】
【００６１】
【図１】実施の形態１にかかる傘を示した正面図である。
【図２】図１に示した傘の平面図である。
【図３】図１に示した傘を斜め下方から見た状態を示した斜視図である。
【図４】傘をさした状態における傘の親骨を軸に沿ってながめた場合の断面図である。
【図５】実施の形態２にかかる傘を示した平面図である。
【図６】図５に示した傘の断面図である。
【符号の説明】
【００６２】
１      傘
２      軸
４      石突                                                             
５      傘骨
６      傘布
７      露先
８      反射テープ
９      反射体
５１    親骨
５２    受骨
【図１】
2007151656.tif 000003
【図２】
2007151656.tif 000004
【図３】
2007151656.tif 000005
【図４】
2007151656.tif 000006
【図５】
2007151656.tif 000007
【図６】
2007151656.tif 000008